(57)【要約】【課題】洗い物等の流し台作業時に作業者の腰にかかる負担を軽減し、流し台作業を楽に行うことが出来ると共に、場所を取らず、使い勝手がよく、製作コストを安く出来る流し台作業用の腰掛けベルトを提供すること。【解決手段】流し台作業用の腰掛けベルト１は、流し台Ｎの前端縁部Ｎａに取り外し自在に取り付け固定されるベルト本体取付用クランプ２と、流し台Ｎで洗い物等の流し台作業をする者の腰部Ｗ又はその付近に当て掛けられ、その両端部がベルト本体取付用クランプ２に取り外し自在に取り付けられる長さ調整可能なベルト本体３と、からなる。【選択図】図３
0003104697.tif 000002
【実用新案登録請求の範囲】
【請求項１】
流し台の前端縁部に取り外し自在に取り付け固定されるベルト本体取付用クランプと、流し台で洗い物等の流し台作業をする者の腰部又はその付近に当て掛けられ、その両端部が前記クランプに取り外し自在に取り付けられる長さ調整可能なベルト本体と、からなる流し台作業用の腰掛けベルト。
【請求項２】
ベルト本体取付用クランプは、前板片と後板片と両板片をつなぐ上板片とで略コ字状に形成され、流し台の前端縁部に嵌め込まれるコ字状本体と、ベルト本体の両端部を着脱自在に取り付けるために前板片の左右両端部に設けられた一対の取付部と、後板片に設けたネジ孔に螺挿され、先端部に当て金、後端部に回転操作ツマミが夫々設けられた締付用螺軸とからなる請求項１に記載の流し台作業用の腰掛けベルト。
【請求項３】
コ字状本体の前板片及び上板片の夫々裏面ならびに当て金の先端面に、滑り止めを兼ねた傷付け防止用のシートを貼着してなる請求項１又は２に記載の流し台作業用の腰掛けベルト。
【請求項４】
ベルト本体は、幅広ベルト部と、この幅広ベルト部の両端部に夫々連設された幅狭ベルト部とからなるもので、幅狭ベルト部に長さ調節具が介装されている請求項１〜３の何れに記載の流し台作業用の腰掛けベルト。
【考案の詳細な説明】
【技術分野】
【０００１】
本考案は、台所用流し台で洗い物等をする時に使用される流し台作業用の腰掛けベルトに関するものである。
【背景技術】
【０００２】
図３の(a) に示すように、台所の流し台Ｎの前に立って長時間洗い物等をしていると、腰が痛くなって、立っているのが非常に辛く、特に腰に疾患のある人は、無理をすれば、取り返しのつかないことにもなりかねない。
【０００３】
従来、上記のように流し台Ｎで洗い物等の流し台作業をする時に腰に負担がかからないようにするための好適な手段は、未だ提供されていない。このような場合、椅子に腰掛けて洗い物をすれば、作業者の腰に負担がかからず、腰を痛めるようなこともないが、普通の椅子に腰を掛けたのでは、洗い物等の作業をてきぱき行うことは出来ない。洗い物等が行えるような椅子を作ろうとすれば、流し台Ｎの高さは、標準のもので約８０ｃｍであるから、夫々の身長を有する作業者が椅子に座った状態で最も楽に流し台作業ができるようにするためには流し台Ｎの高さと自分の身長に見合った特殊な椅子が必要となり、従って椅子のコストが非常に高くつくことになる。また、流し台の前に椅子を置くと可なり場所を取るため、台所内を行き来するのに非常に邪魔になる、といった問題もある。
【考案の開示】
【考案が解決しようとする課題】
【０００４】
本考案は、上記のような課題に鑑み、洗い物等の流し台作業時に作業者の腰にかかる負担を軽減し、流し台作業を楽に行うことが出来ると共に、場所を取らず、使い勝手が良く、しかも椅子に比べて製作コストを安く出来る流し台作業用の腰掛けベルトを提供することを目的とする。
【課題を解決するための手段】
【０００５】
上記課題を解決するための手段を、後述する実施形態の参照符号を付して説明すると、請求項１に係る考案の流し台作業用の腰掛けベルト１は、流し台Ｎの前端縁部Ｎａに取り外し自在に取り付け固定されるベルト本体取付用クランプ２と、流し台Ｎで洗い物等の流し台作業をする者の腰部Ｗ又はその付近に当て掛けられ、その両端部が前記クランプ２に取り外し自在に取り付けられる長さ調整可能なベルト本体３と、からなることを特徴とする。
【０００６】
請求項２は、請求項１に記載の流し台作業用の腰掛けベルトにおいて、ベルト本体取付用クランプ２は、前板片４ａと後板片４ｂと両板片４ａ，４ｂをつなぐ上板片４ｃとで略コ字状に形成され、流し台Ｎの前端縁部Ｎａに嵌め込まれるコ字状本体４と、ベルト本体３の両端部を着脱自在に取り付けるために前板片４ａの左右両端部に設けられた一対の取付部５，５と、後板片４ｂに設けたネジ孔６に螺挿され、先端部に当て金７、後端部に回転操作ツマミ８が夫々設けられた締付用螺軸９とからなることを特徴とする。
【０００７】
請求項３は、請求項１又は２に記載の流し台作業用の腰掛けベルトにおいて、コ字状本体４の前板片４ａ及び上板片４ｃの夫々裏面ならびに当て金７の先端面に、滑り止めを兼ねた傷付け防止用のシート１０，１１を貼着してなることを特徴とする。
【０００８】
請求項４は、請求項１〜３の何れに記載の流し台作業用の腰掛けベルトにおいて、ベルト本体３は、幅広ベルト部３ａと、この幅広ベルト部３ａの両端部に夫々連設された幅狭ベルト部３ｂ，３ｂとからなるもので、幅狭ベルト部３ｂに長さ調節具１３が介装されていることを特徴とする。
【考案の効果】
【０００９】
上記解決手段による発明の効果を、後述する実施形態の参照符号を付して説明すると、請求項１に係る考案の腰掛けベルト１によると、流し台Ｎで洗い物等の作業をする時に、ベルト本体取付用クランプ２を流し台Ｎの前端縁部Ｎａに固定し、ベルト本体３を作業者Ｍの腰部Ｗ又はその付近に当て掛けた状態で、その両端部をクランプ２に取り付け、この状態で作業すれば、作業者Ｍは、腰部Ｗをベルト本体３によって腰掛け状態に支持されるから、楽な姿勢で洗い物等の作業をすることが出来、長時間作業をしても、腰に負担がかからず、腰を痛めることがない。また、この腰掛けベルト１は、部品点数が少なく、構造が簡単であるから、製作が容易で安価に提供出来ると共に、使用するのに場所を取らず、使い勝手が良く、持ち運びや保管にも便利で、きわめて実用的である。
【００１０】
請求項２に係る考案によれば、ベルト本体取付用クランプ２は、前板片４ａと後板片４ｂと上板片４ｃとで略コ字状に形成され、流し台Ｎの前端縁部Ｎａに嵌め込まれるコ字状本体４と、前板片４ａの左右両端部に設けられた一対の取付部５，５と、後板片４ｃに設けたネジ孔６に螺挿され、先端部に当て金７、後端部に回転操作ツマミ８が夫々設けられた締付用螺軸９とからなるため、ツマミ８を回転させるだけの簡単な操作で、流し台Ｎの前端縁部Ｎａに迅速容易にして且つ的確に取り付けることが出来る。
【００１１】
請求項３に係る考案によれば、締付用螺軸９を強く締め付けても、コ字状本体４及び当て金７が当接する流し台前端縁部Ｎａの所要部を傷つけることがない上に、コ字状本体４の前板片４ａ及び当て金７が流し台Ｎの前端縁部Ｎａに対し滑りを生ぜず、コ字状本体４を前端縁部Ｎａの定位置に確実に固定させることができる。
【００１２】
請求項４に係る考案によれば、ベルト本体３は、幅広ベルト部３ａと、これの両端部に夫々連設された幅狭ベルト部３ｂ，３ｂとからなり、幅狭ベルト部３ｂに長さ調節具１３が介装されていて、幅広ベルト部３ａによって作業者Ｍの腰部Ｗ又はその付近を支持するから、長時間使用しても圧迫感を与えるようなことがなく、使い心地が良くなり、また両端部が幅狭ベルト部３ｂ，３ｂとなっているため、ベルト本体取付用クランプ２への取付けが容易となる。
【考案を実施するための最良の形態】
【００１３】
以下に本考案の好適実施形態を図面に基づいて説明すると、図１に示すように、本考案に係る流し台作業用の腰掛けベルト１は、台所用流し台Ｎの前端縁部Ｎａに取り外し自在に取り付け固定されるベルト本体取付用クランプ２と、流し台Ｎで洗い物等の流し台作業をする者の腰部又はその付近に当て掛けられ、その両端部がベルト本体取付用クランプ２に取り外し自在に取り付けられる長さ調整可能なベルト本体３とからなる。尚、流し台Ｎの前端縁部Ｎａとは、図１から分かるように、シンクＳを形成する前部側壁部であって、例えば洗い物をする者の腹部が接するような部分である。
【００１４】
上記腰掛けベルト１の構造について更に詳しく説明すると、ベルト本体取付用クランプ２は、図１及び図２に示すように、ステンレス鋼板等の不錆性金属板により前板片４ａと後板片４ｂと両板片４ａ，４ｂをつなぐ上板片４ｃとからなる略コ字状に形成されて、流し台Ｎの前端縁部Ｎａに上方より嵌め込まれるコ字状本体４と、腰掛けベルト１の両端部を着脱自在に取り付けるために前板片４ａの左右両端部に設けられた取付部５，５と、後板片４ｂに設けたネジ孔６に螺挿され、先端部に当て金７、後端部に回転操作ツマミ８が夫々設けられた締付用螺軸９とから構成されている。
【００１５】
当て金７は、例えば図２の(a) に示すようにステンレス鋼板等の不錆性金属板によって円錐台形状に形成されたもので、取り付けにあたっては、同図に示すように、締付用螺軸９の先端部側に挿通して２つのナット１４，１４間に回転自在に取り付けるようにすればよい。回転操作ツマミ８は、木製又はプラスチック製のもので、締付用螺軸９の基端部に固定されている。このツマミ８の外周面８ａは滑り止めのために例えばローレット加工が施されている。
【００１６】
このクランプ２を流し台Ｎの前端縁部Ｎａに取り付けるにあたっては、コ字状本体４の前板片４ａと締付用螺軸９先端部の当て金７との間の間隔を適当に広げた状態で、コ字状本体４を流し台Ｎの前端縁部Ｎａに上方より嵌め込み、回転操作ツマミ８を進み方向に回すことにより、流し台前端縁部Ｎａの前後面をコ字状本体４の前板片４ａと当て金７とで挟着して、図２の(a) に示すようにコ字状本体４を流し台前端縁部Ｎａに固定する。
【００１７】
図２の(a) 及び(b) から分かるように、ベルト本体取付用クランプ２を形成するコ字状本体４の前板片４ａ及び上板片４ｃの夫々裏面ならびに当て金７の先端面には、滑り止めを兼ねた傷付け防止用のシート１０，１１が貼着されている。これらのシート１０，１１は夫々ゴムシート材からなるもので、シート１０は、前板片４ａの裏面から上板片４ｃの裏面に亘ってそれらを覆うように貼着されており、シート１１は、円板状に形成されて、円錐台形状当て金７の先端部に突設されたフランジ部７ａに貼着されている。各シート１０，１１の表面に凹凸部を形成すれば、一層滑り止め効果が良くなる。
【００１８】
腰掛けベルト１の両端部を着脱自在に取り付けるように前板片４ａの左右両端部に設けられた取付部５は、前板片４ａの左右両端側下部に夫々一体形成されたフック部５ａからなり、このフック部５ａに、ベルト本体３の両端部に取り付けられた取付用リング１２が係脱自在に係止されるようになっている。
【００１９】
ベルト本体３は、図１に示すように、幅広ベルト部３ａと、この幅広ベルト部３ａの両端部に夫々連設された幅狭ベルト部３ｂ，３ｂとからなるもので、例えばキャンパス布のような厚くて丈夫な生地によって形成される。そして、両幅狭ベルト部３ｂ，３ｂは、コ字状本体４の取付部５，５であるフック部５ａ，５ａに係止される取付用リング１２，１２に通されて夫々二つ折りにされ、各二つ折り部分に長さ調節具（バックル）１３が介装され、これによりベルト本体３の長さを調整することが出来る。このベルト本体３では、幅広ベルト部３ａにより作業者Ｍの腰部Ｗ又はその付近を支持するようにしているから、長時間使用しても圧迫感を与えるようなことがなく、使い心地が良くなり、また両端部が幅狭ベルト部３ｂ，３ｂとなっているため、ベルト本体３端部への取付用リング１２の取付けが容易になると共に、ベルト本体取付用クランプ２へのベルト本体３端部の取付けが容易となる。
【００２０】
上記のように構成される流し台作業用腰掛けベルト１の使用方法について説明すると、腰掛けベルト１の使用にあたって、先ず、コ字状本体４を流し台前端縁部Ｎａの中央部に嵌め込むわけであるが、この際、前板片４ａと締付用螺軸９先端部の当て金７との間の間隔を適当に広げた状態で、コ字状本体４を前端縁部Ｎａに上方より嵌め込み、回転操作ツマミ８を進み方向に回して締付用螺軸９を締め付けることにより、流し台前端縁部Ｎａの前後両面をコ字状本体４の前板片４ａと当て金７とで強く挟着し、これによってコ字状本体４を流し台Ｎの前端縁部Ｎａに固定する。
【００２１】
この場合、コ字状本体４の前板片４ａ及び上板片４ｃの夫々裏面ならびに当て金７の先端面にはゴムシート材からなるシート１０，１１が貼着されているため、締付用螺軸９を強く締め付けても、コ字状本体４及び当て金７が当接する流し台前端縁部Ｎａの所要部を傷付けるようなことがない上、コ字状本体４の前板片４ａ及び当て金７が流し台Ｎの前端縁部Ｎａに対し滑りを生ぜず、コ字状本体４を前端縁部Ｎａの定位置に確実に固定させることができる。
【００２２】
こうしてコ字状本体４を流し台Ｎの前端縁部Ｎａに固定したならば、適宜に長さ調整したベルト本体３の幅広ベルト部３ａ部分を、使用者の腰部あるいは腰部より若干下方の尻部分あるいはまた腰部より上方部分に当て掛けながら、両方の幅狭ベルト部３ｂの先端の取付用リング１２，１２を、コ字状本体４の前板片４ａにある両側一対のフック部５ａ，５ａ（取付部５，５）に夫々係止させることによって、図３の(b) あるいは(c) に示すような状態とする。尚、先に、一方の幅狭ベルト部３ｂ側の取付用リング１２を前板片４ａにある一方のフック部５ａに係止してから、ベルト本体３の幅広ベルト部３ａを使用者の腰部側に当て掛け、その後に他方の幅狭ベルト部３ｂ側の取付用リング１２を他方のフック部５ａに係止するようにしてもよい。
【００２３】
図３の(a) は作業者Ｍが本考案の流し台作業用腰掛けベルト１を使用しないで流し台Ｎで洗い物をしている状態を示す。この状態では、作業者Ｍの腰部Ｗ又はその付近を支持するものが何もないため、作業者Ｍは、腰に大きな負担を感じ、長い時間洗い物をすると、腰が痛くなって、立っているのが非常に辛くなる。
【００２４】
図３の(b) 及び(c) は本考案の流し台作業用腰掛けベルト１を使用して洗い物をしている状態を示したもので、(b) はベルト本体３の長さを比較的長めに調整して、腰Ｗの下方部、即ち腰部Ｗから尻部に亘る部分に幅広ベルト部３ａの中央部分を当て掛けて使用する場合を示す。この場合、作業者Ｍはベルト本体３の幅広ベルト部３ａに半分腰掛けた状態となるから、作業者Ｍの腰部Ｗの位置が(a) に示すような非使用時の腰部Ｗの位置よりも低くなる。このように腰部Ｗの位置が低くなると、(b) に示すように作業者Ｍの膝Ｈが流し台Ｎの前壁面Ｆに当たって支持されるから、作業者Ｍはベルト本体３に腰掛けた状態で安定した姿勢となる。従って、作業者Ｍは、非常に楽な姿勢で洗い物をすることが出来、長時間洗い物をしても、腰に負担がかからず、腰を痛めるようなことがなくなる。
【００２５】
図３の(c) はベルト本体３の長さを比較的短めに調整して、腰部Ｗの真ん中部分にベルト本体３の幅広ベルト部３ａを当て掛けて使用する場合を示す。この場合、作業者Ｍは、ほとんど直立した状態でベルト本体３の幅広ベルト部３ａで腰部Ｗを支持されることになるから、このベルト本体３の幅広ベルト部３ａに腰部Ｗをもたれかかった状態とすることにより、作業者Ｍは非常に楽な姿勢で洗い物をすることが出来、長時間洗い物をしても、腰に負担がかからず、腰を痛めるようなことがない。
【００２６】
ベルト本体３の長さは、上記のような使用形態による他、作業者Ｍの体型によっても、適宜に調整することが出来るもので、作業者Ｍは最も楽な姿勢で洗い物等が出来るように調整すればよい。
【００２７】
この腰掛けベルト１では、ベルト本体３が、幅広ベルト部３ａと、この幅広ベルト部３ａの両端部に夫々連設された幅狭ベルト部３ｂ，３ｂとから構成されて、幅狭ベルト部３ｂに長さ調節具１３が介装されているから、両端側の幅狭ベルト部３ｂ，３ｂを夫々長さ調整することにより、幅広ベルト部３ａの位置をずらすことなく、常にこの幅広ベルト部３ａ全体を作業者Ｍの腰部Ｗ又はその付近に当て掛けることが出来て、腰部Ｗ又はその付近を的確に支持出来ると共に、作業者Ｍにとって使い心地が良い。
【００２８】
また、この腰掛けベルト１は、部品点数が少なく、構造が非常に簡単であるから、製作が容易で安価に提供することが出来る。
【００２９】
図１〜図３に示す実施形態の腰掛けベルト１では、コ字状本体４に設けられる各取付部５をフック部５ａからなるものとしたが、図４に示す腰掛けベルト１においては、コ字状本体４の各取付部５は、コ字状本体４の前板片４ａに形成された径大孔部５ｂ1 と、この径大孔部５ｂ1 の下部に連通するように形成された径小孔部５ｂ2 との二段孔５ｂからなるもので、径大孔部５ｂ1 は、ベルト本体３の各端部に取り付られる取付片１５の上端部前面に一体突設された二段軸１６の先端側の径大軸部１７が挿通可能な孔径に形成され、径小孔部５ｂ2 は手前側の径小軸部１８が挿通可能な孔径に形成されている。各取付片１５の下端部にはベルト挿通孔１９が形成してあって、これにベルト本体３の幅狭ベルト部３ｂを通して取り付けるようになっている。
【００３０】
しかして、ベルト本体３の両端部をコ字状本体４の両取付部５，５に取り付ける時は、各二段軸１６の径大軸部１７をコ字状本体４側の二段孔５ｂの径大孔部５ｂ1 に挿通した後、径小軸部１８を径小孔部５ｂ2 に落とし込むことによってロックすることが出来る。取り外し時には、取付片１５を持ち上げて径小軸部１８を径小孔部５ｂ2 から引き抜き、径大軸部１７を径大孔部５ｂ1 から手前側へ抜き出せばよい。この取付部５以外の構成については、図１〜図３の腰掛けベルト１と同じである。
【図面の簡単な説明】
【００３１】
【図１】本考案の流し台作業用腰掛けベルトの一実施形態を示す斜視図である。
【図２】(a) は同腰掛けベルトのベルト本体取付用クランプ側の縦断面図、(b) はベルト本体取付用クランプの一部切欠正面図である。
【図３】(a) は腰掛けベルトを使用しないで流し台で洗い物をしている状態の側面図、(b) 及び(c) は本考案の腰掛けベルトを使用して洗い物をしている状態の側面図である。
【図４】本考案の他の実施形態による腰掛けベルトを示す斜視図である。
【符号の説明】
【００３２】
１          腰掛けベルト
２          ベルト本体取付用クランプ
３          ベルト本体
４ａ        前板片
４ｂ        後板片
４ｃ        上板片
５          取付部
８          回転操作ツマミ
９          締付用螺軸
１０，１１  滑り止めを兼ねた傷付け防止用のシート
【図１】
0003104697.tif 000003
【図２】
0003104697.tif 000004
【図３】
0003104697.tif 000005
【図４】
0003104697.tif 000006